(57)【要約】【課題】押しボタンの位置決め精度と円滑な動作とを両立することができる入力装置及び該入力装置を備えた電子機器を提供する。【解決手段】入力装置１０は、ベースプレート３０と、ベースプレート３０の上面３０ａ側で回動可能に設けられた押しボタン２５と、を備える。ベースプレート３０は、上面３０ａから突出した軸受部４０を有する。押しボタン２５は、押下操作を受け付ける操作面部３６と、軸受部４０に回転可能に支持される位置決め部３８と、を有する。位置決め部３８は、軸受部４０の第１面に当接する当接部４４と、軸受部４０の第２面に向かって弾性付勢され、第２面を押圧する押圧部４８と、で軸受部４０の板厚方向に対して押しボタン２５を位置決めする。【選択図】図３
2020202164.tif 000002
【特許請求の範囲】
【請求項１】
入力装置であって、
ベースプレートと、
前記ベースプレートの上面側で回動可能に設けられた押しボタンと、
を備え、
前記ベースプレートは、上面から突出した軸受部を有し、
前記押しボタンは、押下操作を受け付ける操作面部と、前記軸受部に回転可能に支持される位置決め部と、を有し、
前記位置決め部は、
前記軸受部の第１面に当接する当接部と、
前記軸受部の、前記第１面とは反対の第２面に向かって弾性付勢され、前記第２面を押圧する押圧部と、で前記軸受部の板厚方向に対して前記押しボタンを位置決めする
ことを特徴とする入力装置。
【請求項２】
請求項１に記載の入力装置であって、
前記位置決め部は、前記当接部が前記第１面に当接する位置と、前記押圧部が前記第２面を押圧する位置とが、前記軸受部の前記第１面に沿う方向に対して互いに位置ずれしていることを特徴とする入力装置。
【請求項３】
請求項１又は２に記載の入力装置であって、
前記当接部及び前記押圧部は、平面視で前記操作面部から外れた位置に設けられ、
前記位置決め部と前記軸受部との間の回動軸は、平面視で前記操作面部の外側に配置されていることを特徴とする入力装置。
【請求項４】
請求項１〜３のいずれか１項に記載の入力装置であって、
前記位置決め部は、さらに、
前記操作面部の一縁部から突出し、先端側に前記当接部が設けられた第１アームと、
前記第１アームと並んで前記操作面部の一縁部から突出し、先端側に前記押圧部が設けられた第２アームと、
を有することを特徴とする入力装置。
【請求項５】
請求項４に記載の入力装置であって、
前記軸受部は、前記ベースプレートの上面から起立して屈曲したフック形状を有し、
前記位置決め部は、さらに、前記軸受部の下端面が前記板厚方向に沿って相対移動可能な状態で当接する支持部を有することを特徴とする入力装置。
【請求項６】
請求項１〜５のいずれか１項に記載の入力装置であって、
前記ベースプレートは、さらに、前記上面から突出し、前記軸受部と平行するように設けられた第２の軸受部を有し、
前記押しボタンは、さらに、前記操作面部の幅方向で前記位置決め部と並ぶように設けられ、前記第２の軸受部に回転可能に支持される回転支持部を有し、
前記回転支持部は、前記第２の軸受部に対して該第２の軸受部の板厚方向に沿って移動が許容された状態で支持されていることを特徴とする入力装置。
【請求項７】
請求項１〜６のいずれか１項に記載の入力装置であって、
前記ベースプレートは、さらに、前記上面から突出した突出片を有し、
前記押しボタンは、さらに、その下面に形成され、前記突出片が摺動可能に挿入される位置決め穴を有し、
前記突出片は、前記位置決め穴に対して、少なくとも前記板厚方向と直交する方向であって、且つ前記上面に平行する方向には、相対移動不能な状態で挿入されていることを特徴とする入力装置。
【請求項８】
請求項１〜７のいずれか１項に記載の入力装置と、前記ベースプレートの上面側で上下動可能に支持された複数のキートップと、を有するキーボード装置と、
前記キーボード装置が設けられた本体筐体と、
前記本体筐体に対して回動可能に連結され、ディスプレイを有するディスプレイ筐体と、
を備えることを特徴とする電子機器。
【発明の詳細な説明】
【技術分野】
【０００１】
本発明は、押しボタンを備えた入力装置及び該入力装置を備えた電子機器に関する。
【背景技術】
【０００２】
ノート型ＰＣのような電子機器は、例えばキーボード装置の近傍に押しボタンが設けられることがある。本出願人は、特許文献１において、マウスの代替となるタッチパッド及びポインティングスティックを有するノート型ＰＣを開示している。この構成では、マウスの左ボタンや右ボタンに対応し、タッチパッド及びポインティングスティックと併用される押しボタンをキーボード装置の手前側に設けている。
【先行技術文献】
【特許文献】
【０００３】
【特許文献１】特許第６２９１００６号公報
【発明の概要】
【発明が解決しようとする課題】
【０００４】
上記特許文献１の入力装置は、キーボード装置の支持板となるベースプレートの上に積層されたハウジングプレートに孔部を形成している。そして、この入力装置は、ハウジングプレートに形成した孔部に押しボタンのヒンジを挿入することで、押しボタンの左右方向の配置を位置決めしている。従って、この構成では、押しボタンの左右方向を精度よく位置決めするためには、ヒンジと孔部の内壁面との間の隙間を可能な限り小さくする必要がある。このため、この構成では、押しボタンやベースプレート等の製造公差や組付交差により、ヒンジが孔部の内壁面に干渉し、押しボタンの円滑な動作ができなくなる懸念がある。そこで、この干渉を確実に回避するためには、ヒンジと孔部との間の隙間を広くする必要がある。ところが、この場合は、押しボタンががたつきを生じたり、押しボタンが周囲のフレームに干渉したりする懸念がある。
【０００５】
本発明は、上記従来技術の課題を考慮してなされたものであり、押しボタンの位置決め精度と円滑な動作とを両立することができる入力装置及び該入力装置を備えた電子機器を提供することを目的とする。
【課題を解決するための手段】
【０００６】
本発明の第１態様に係る入力装置は、入力装置であって、ベースプレートと、前記ベースプレートの上面側で回動可能に設けられた押しボタンと、を備え、前記ベースプレートは、上面から突出した軸受部を有し、前記押しボタンは、押下操作を受け付ける操作面部と、前記軸受部に回転可能に支持される位置決め部と、を有し、前記位置決め部は、前記軸受部の第１面に当接する当接部と、前記軸受部の、前記第１面とは反対の第２面に向かって弾性付勢され、前記第２面を押圧する押圧部と、で前記軸受部の板厚方向に対して前記押しボタンを位置決めする。
【０００７】
前記位置決め部は、前記当接部が前記第１面に当接する位置と、前記押圧部が前記第２面を押圧する位置とが、前記軸受部の前記第１面に沿う方向に対して互いに位置ずれした構成としてもよい。
【０００８】
前記当接部及び前記押圧部は、平面視で前記操作面部から外れた位置に設けられ、前記位置決め部と前記軸受部との間の回動軸は、平面視で前記操作面部の外側に配置された構成としてもよい。
【０００９】
前記位置決め部は、さらに、前記操作面部の一縁部から突出し、先端側に前記当接部が設けられた第１アームと、前記第１アームと並んで前記操作面部の一縁部から突出し、先端側に前記押圧部が設けられた第２アームと、を有する構成としてもよい。
【００１０】
前記軸受部は、前記ベースプレートの上面から起立して屈曲したフック形状を有し、前記位置決め部は、さらに、前記軸受部の下端面が前記板厚方向に沿って相対移動可能な状態で当接する支持部を有する構成としてもよい。
【００１１】
前記ベースプレートは、さらに、前記上面から突出し、前記軸受部と平行するように設けられた第２の軸受部を有し、前記押しボタンは、さらに、前記操作面部の幅方向で前記位置決め部と並ぶように設けられ、前記第２の軸受部に回転可能に支持される回転支持部を有し、前記回転支持部は、前記第２の軸受部に対して該第２の軸受部の板厚方向に沿って移動が許容された状態で支持された構成としてもよい。
【００１２】
前記ベースプレートは、さらに、前記上面から突出した突出片を有し、前記押しボタンは、さらに、その下面に形成され、前記突出片が摺動可能に挿入される位置決め穴を有し、前記突出片は、前記位置決め穴に対して、少なくとも前記板厚方向と直交する方向であって、且つ前記上面に平行する方向には、相対移動不能な状態で挿入された構成としてもよい。
【００１３】
本発明の第２態様に係る電子機器は、上記構成の入力装置と、前記ベースプレートの上面側で上下動可能に支持された複数のキートップと、を有するキーボード装置と、前記キーボード装置が設けられた本体筐体と、前記本体筐体に対して回動可能に連結され、ディスプレイを有するディスプレイ筐体と、を備える。
【発明の効果】
【００１４】
本発明の上記態様によれば、押しボタンの位置決め精度と円滑な動作とを両立することができる。
【図面の簡単な説明】
【００１５】
【図１】図１は、一実施形態に係る入力装置を備えた電子機器の斜視図である。
【図２】図２は、図１に示す入力装置及びその周辺部を拡大し、フレームを省略した斜視図である。
【図３】図３は、図２に示す押しボタン及びその周辺部を拡大した平面図である。
【図４】図４は、図２中の丸印ＩＶで囲んだ部分を拡大した斜視図である。
【図５】図５は、図２中の丸印Ｖで囲んだ部分を拡大した斜視図である。
【図６】図６は、ベースプレートの押しボタンを支持する部分及びその周辺部を拡大した斜視図である。
【図７】図７は、図６に示すベースプレートの一部を拡大した斜視図である。
【図８】図８は、押しボタン及びその周辺部の模式的な側面断面図である。
【発明を実施するための形態】
【００１６】
以下、本発明に係る入力装置及び電子機器について好適な実施の形態を挙げ、添付の図面を参照しながら詳細に説明する。
【００１７】
図１は、一実施形態に係る入力装置１０を備えた電子機器１２の斜視図である。図１に示すように、電子機器１２は、ディスプレイ筐体１４を本体筐体１６に対して回動可能に連結したノート型ＰＣである。本実施形態の入力装置１０は、電子機器１２のキーボード装置１８と一体に構成されたものである。入力装置１０は、キーボード装置１３と別体に構成されたものでもよい。入力装置１０は、ノート型ＰＣ以外の電子機器に搭載されてもよい。入力装置１０は、デスクトップ型ＰＣ等に接続される外付け型のキーボード装置等に搭載されてもよい。
【００１８】
以下、入力装置１０について、図１に示すように電子機器１２を使用する使用者から見た方向を基準とし、手前側を前、奥側を後、本体筐体１６の厚み方向を上下、幅方向を左右と呼んで説明する。
【００１９】
ディスプレイ筐体１４は、薄い箱状の筐体である。ディスプレイ筐体１４は、ディスプレイ１９を備える。ディスプレイ１９は、例えば液晶ディスプレイである。ディスプレイ筐体１４は、筐体ヒンジ２０を介して本体筐体１６と回動可能に連結されている。
【００２０】
本体筐体１６は、薄い箱状の筐体である。本体筐体１６の内部には、電子回路基板、電子回路基板に実装された演算処理装置やメモリ、バッテリ装置等の各種電子部品が収納されている。
【００２１】
キーボード装置１８は、本体筐体１６の上面に設けられている。キーボード装置１８は、前後方向及び左右方向に並ぶように配列された複数のキートップ２２を備える。隣接するキートップ２２，２２間は、フレーム２３によって仕切られている。キーボード装置１８の略中央には、ポインティングスティック２４が設けられている。ポインティングスティック２４は、ディスプレイ１９に表示されるカーソル（マウスポインタ）を操作するための入力装置であり、マウスの代わりとして操作できる。
【００２２】
入力装置１０は、キーボード装置１８の前縁部の略中央に設けられている。本実施形態の入力装置１０は、３個の押しボタン２５，２６，２７で構成されている。押しボタン２５〜２７は、ポインティングスティック２４やタッチパッド２８によるカーソル操作と連結して機能する。タッチパッド２８は、押しボタン２５〜２７の前側に設けられ、ポインティングスティック２４と同様、マウスの代わりとして操作可能である。
【００２３】
図２は、図１に示す入力装置１０及びその周辺部を拡大し、フレーム２３を省略した斜視図である。図２では、中央の押しボタン２６の図示を省略している。
【００２４】
図２に示すように、キーボード装置１８は、各キートップ２２及び入力装置１０の取付板となるベースプレート３０を備える。ベースプレート３０は、アルミニウムやステンレス等で形成された薄い金属プレートの各所に切り起こし成形や打ち抜き成形を施したものである。ベースプレート３０は、第１プレート部３１ａと、第２プレート部３１ｂとで構成されている。第１プレート部３１ａは、全てのキートップ２２をまとめて支持する略長方形の大型プレートである。第２プレート部３１ｂは、押しボタン２５〜２７を支持する略長方形の小型プレートである。第２プレート部３１ｂは、第１プレート部３１ａの前縁部の略中央から前方に張り出すように設けられている。
【００２５】
ベースプレート３０は、上面３０ａにメンブレンシート３２が積層され、下面３０ｂにライトガイドプレート３４が積層されている（図８も参照）。メンブレンシート３２は、例えば固定接点及び可動接点が重なる位置が押圧された場合に固定接点と可動接点とが密着し、これにより接点を閉じる三層構造のスイッチシートである。メンブレンシート３２は、３層構造以外、例えばゴム製の導電部が回路を短絡させる接触スイッチを用いた構造等でもよい。メンブレンシート３２は各所に貫通孔を有し、この貫通孔の一部を通してキートップ２２の昇降ガイドがベースプレート３０の上面３０ａに取り付けられている。キートップ２２は、この昇降ガイドによるガイド作用下に上下動し、下降した場合に図示しないラバードームを介してメンブレンシート３２のスイッチをオンする。メンブレンシート３２は、ベースプレート３０の下面３０ｂ側に積層されてもよい。ライトガイドプレート３４は、ＬＥＤ素子等の光源から発せられた光を導光して反射することにより、各キートップ２２を下面側から照射する。ライトガイドプレート３４は省略してもよく、代わりに防水シートを設けてもよい。
【００２６】
図３は、図２に示す押しボタン２５及びその周辺部を拡大した平面図である。図４は、図２中の丸印ＩＶで囲んだ部分を拡大した斜視図である。図５は、図２中の丸印Ｖで囲んだ部分を拡大した斜視図である。図６は、ベースプレート３０の押しボタン２５を支持する部分及びその周辺部を拡大した斜視図である。図７は、図６に示すベースプレート３０の一部を拡大した斜視図である。
【００２７】
図１〜図３に示すように、入力装置１０は、押しボタン２５，２６，２７を左から右に向かって順に並べた構造である。押しボタン２５〜２７は、フレーム２３に形成された横長の開口部２３ａにまとめて収容されている（図１及び図３参照）。本実施形態の場合、開口部２３ａの前側の内壁面は、タッチパッド２８の端面で構成されている。入力装置１０は、１個若しくは２個の押しボタン、又は、４個以上の押しボタンで構成されてもよい。
【００２８】
以下では、左側の押しボタン２５を代表的に説明する。右側の押しボタン２７は、左側の押しボタン２５と比べて形状及び取付構造がそれぞれ左右対称である以外は略同一の構成である。そこで、押しボタン２７の各要素については、対応する押しボタン２５の各要素と同一の符号を付して詳細な説明を省略する。なお、中央の押しボタン２６は、左右の押しボタン２５，２７とはその形状や取付構造が異なるものであり、本実施形態では詳細な説明を省略する。
【００２９】
図２及び図３に示すように、押しボタン２５は、操作面部３６と、左右に並んだ位置決め部３８及び回転支持部３９とを備える。押しボタン２５は、例えば樹脂材料で形成されている。
【００３０】
操作面部３６は、使用者による押下操作を受け付けるプレートである。操作面部３６は、平面視で略長方形状であり、前後方向よりも左右方向の幅寸法が長い。操作面部３６は、左側面３６ａが開口部２３ａの左側の内壁面２３ｂと対向している。操作面部３６は、右側面３６ｂが隣接する押しボタン２６の側面と対向している。なお、右側の押しボタン２７は、その操作面部３６の左側面３６ａが隣接する押しボタン２６の側面と対向し、右側面３６ｂが開口部２３ａの右側の内壁面２３ｃと対向している（図１及び図２参照）。
【００３１】
図３及び図４に示すように、位置決め部３８は、操作面部３６の後縁部左端から後方に張り出すように設けられている。位置決め部３８は、ベースプレート３０の上面３０ａから突出した軸受部４０に回転可能に支持されている。
【００３２】
図６及び図７に示すように、軸受部４０は、上面３０ａから起立して前方へと屈曲した板片であり、側面視略Ｌ字のフック形状を有する。軸受部４０は、ベースプレート３０を切り起こして形成されている。軸受部４０の板厚は、ベースプレート３０の板厚と同一であり、例えば０．３ｍｍ程度である。
【００３３】
図３及び図４に示すように、位置決め部３８は、第１アーム４２と、当接部４４と、第２アーム４６と、押圧部４８と、支持部５０とを有する。位置決め部３８は、押しボタン２５をベースプレート３０に対して左右方向に位置決めする。位置決め部３８は、軸受部４０に支持されることで押しボタン２５を回動させるヒンジとしても機能する。
【００３４】
第１アーム４２は、操作面部３６の後縁部から後方に突出している。第１アーム４２は、後方に向かって次第に幅狭となる略三角形状の板片である。第１アーム４２は、十分な強度を持った剛体である。第１アーム４２の先端には、幅狭の突出片４２ａが設けられている。
【００３５】
当接部４４は、突出片４２ａの左側面に形成されている。当接部４４は、軸受部４０の右側面４０ａに当接する。当接部４４は、押しボタン２５をベースプレート３０に対して左右方向に位置決めするストッパである。当接部４４は、軸受部４０の右側面４０ａに向かって次第に幅狭となる突起形状を有し、その先端に形成された平面部分で右側面４０ａに当接する。
【００３６】
第２アーム４６は、操作面部３６の後縁部から後方に突出している。第２アーム４６は、第１アーム４２よりも外側（左側）に配置され、第１アーム４２との間に隙間Ｃを介して並んでいる。第２アーム４６は、第１アーム４２よりも相当に幅狭な棒状部材である。このため、第２アーム４６は、少なくとも左右方向に弾性変形可能な板ばねとして機能する。
【００３７】
押圧部４８は、第２アーム４６の先端から右側に突出した突部である。つまり第２アーム４６及び押圧部４８を合わせた部分は、平面視で略ハンマー形状となっている。押圧部４８は、軸受部４０の左側面４０ｂに当接する。押圧部４８は、第２アーム４６により、軸受部４０の左側面４０ｂに向かって弾性付勢されている。位置決め部３８は、押圧部４８が外力を受けていない状態では、押圧部４８と当接部４４との間の左右方向での間隔が、軸受部４０の板厚よりも小さい寸法に設定されている。これにより、位置決め部３８は、押圧部４８と当接部４４との間で軸受部４０を挟持することができる。つまり押圧部４８が軸受部４０を押圧した状態で、第２アーム４６はその反力で弾性変形している。本実施形態の場合、当接部４４が軸受部４０に当接する位置と、押圧部４８が軸受部４０を押圧する位置とは、前後方向に対して互いに位置ずれしている。
【００３８】
支持部５０は、第１アーム４２の先端側で突出片４２ａの基端部左側に形成されている。支持部５０は、第１アーム４２の上面を突出片４２ａよりも一段低い位置にある。支持部５０は、その左縁部及び後縁部が隙間Ｃに臨んでいる。支持部５０は、その上面に軸受部４０の下端面４０ｃが係止される。これにより支持部５０は、軸受部４０に対して左右方向に相対移動可能な状態で当接する。支持部５０は、省略されてもよい。
【００３９】
図３及び図５に示すように、回転支持部３９は、操作面部３６の後縁部右端部から後方に突出した位置に設けられている。回転支持部３９は、操作面部３６の幅方向（左右方向）に対して位置決め部３８と並んでいる。回転支持部３９は、ベースプレート３０の上面３０ａから突出した軸受部５２に回転可能に支持されている。軸受部５２は、上記した軸受部４０と同一構造である。軸受部５２は、軸受部４０と平行している（図６参照）。
【００４０】
回転支持部３９は、アーム５４と、左右一対の支持壁部５６，５７と、支持部５８とを有する。回転支持部３９は、軸受部５２に支持されることで押しボタン２５を回動させるヒンジとして機能する。
【００４１】
アーム５４は、操作面部３６の後縁部から後方に突出している。アーム５４は、後方に向かって次第に幅狭となる略三角形状の板片である。アーム５４は、位置決め部３８の第１アーム４２及び第２アーム４６を合わせたものと左右対称である以外は略同一の外形となっている。
【００４２】
支持壁部５６，５７は、アーム５４の先端に設けられ、左右に並んでいる。支持壁部５６，５７の間には、軸受部５２の板厚よりも大きな隙間が設けられ、この隙間に支持部５８が配置されている。支持壁部５６，５７の間には、後方から軸受部５２が挿入される。右側の支持壁部５７は、軸受部５２の右側面５２ａと対向し、左側の支持壁部５６は、軸受部５２の右側面５２ｂと対向する。従って、軸受部５２は、支持壁部５６，５７間で左右方向に相対移動可能である。
【００４３】
支持部５８は、支持壁部５６，５７間の前部に形成されている。支持部５８は、その上面にフック形状を有する軸受部５２の下端面５２ｃ（図６参照）が係止される。これにより支持部５８は、軸受部５２に対して左右方向に相対移動可能な状態で当接する。
【００４４】
図８は、押しボタン２５及びその周辺部の模式的な側面断面図である。図８に示すように、押しボタン２５は、第１アーム４２及びアーム５４の下面に開口した位置決め穴６０を有する。位置決め穴６０には、ベースプレート３０の上面３０ａから起立した突出片６２が挿入される。
【００４５】
図６及び図７に示すように、突出片６２は、左右の軸受部４０，５２の前方にそれぞれ設けられている。つまり押しボタン２５の位置決め穴６０についても、左右の突出片６２に対応するように一対設けられている。突出片６２は、ベースプレート３０を上方に切り起こし、先端を右側又は左側に屈曲させた板片であり、正面視略Ｚ字形である。突出片６２は、位置決め穴６０に対して上下方向に摺動可能に挿入される。突出片６２は、位置決め穴６０に挿入された状態で、前後方向には相対移動不能な係合状態となる。つまり突出片６２は、位置決め穴６０に対して、少なくとも軸受部４０，５２の板厚方向と直交する方向であって、且つ上面３０ａに平行する方向には、相対移動不能な状態で挿入されている。これにより押しボタン２５は、位置決め穴６０と突出片６２との係合作用により、ベースプレート３０に対して前後方向に位置決めされる。
【００４６】
図８に示すように、操作面部３６は、その下面の前端よりも多少後側に係止片６４を有する。係止片６４は、操作面部３６の下面から下方に突出し、先端が前側に屈曲している。係止片６４は、操作面部３６の下面に左右一対設けられている。図６に示すように、ベースプレート３０の上面３０ａには、左右の係止片６４に対応する位置にそれぞれ起立板６６が設けられている。起立板６６は、左右方向に幅広な門形状の板片であり、内側に矩形の係止穴６６ａが形成されている。係止穴６６ａには、係止片６４が上下動可能に挿入される。係止片６４は、係止穴６６ａの天面でその上昇方向位置が規制され、押しボタン２５がベースプレート３０から抜け止めされている。  図８中の参照符号６８は、操作面部３６が押下操作されて押しボタン２５が回動した際、その下面でオンされるスイッチである。
【００４７】
なお、図２中の参照符号７０，７１，７２は、ベースプレート３０を下面３０ｂ側から上面３０ａへと膨らませた凸部であり、上面３０ａから上方に突出している。凸部７０〜７２は、押しボタン２５〜２７と干渉しない高さ寸法で押しボタン２５〜２７の下方に配置されている。凸部７０〜７２は、その裏側にベースプレート３０の下面３０ｂ側に配置される図示しないロジック基板の収納凹部を形成する。ロジック基板は、ポインティングスティック２４に接続され、ポインティングスティック２４が操作された際にセンサ基板から出力されるアナログ信号をデジタルの電気信号に変換するものである。
【００４８】
以上のように、本実施形態の入力装置１０の位置決め部３８は、軸受部４０の右側面４０ａに当接する当接部４４と、軸受部４０の左側面４０ｂに向かって弾性付勢され、この左側面４０ｂを押圧する押圧部４８とを有する。そして、位置決め部３８は、軸受部４０の板厚方向に対して押しボタン２５を位置決めしている。
【００４９】
このように、位置決め部３８は、弾性付勢された押圧部４８と当接部４４とで軸受部４０を挟持している。このため、位置決め部３８は、当接部４４を基準として軸受部４０（ベースプレート３０）に対して左右方向で位置決めされる。従って、押しボタン２５（２７）は、高い位置決め精度でベースプレート３０に支持される。また、押圧部４８は、軸受部４０に対して弾性付勢されており、位置決め部３８と軸受部４０との間の隙間をゼロにできる。このため、位置決め部３８が軸受部４０に対してがたつきを生じることを抑制できる。しかも、位置決め部３８は、軸受部４０に対する回転動作が硬くなり過ぎることもないため、その円滑な動作も確保される。
【００５０】
この際、回転支持部３９は、軸受部５２に対して左右方向に移動が許容された状態で回転可能に支持されている。これにより回転支持部３９は、位置決め部３８での左右方向の位置決めを阻害することなく、押しボタン２５の回動動作をより安定化させる。
【００５１】
本実施形態の位置決め部３８は、当接部４４及び押圧部４８の軸受部４０に対する当接位置が第２アーム４６の突出方向、つまり軸受部４０の側面４０ａ，４０ｂに沿って位置ずれしている。このため、位置決め部３８は、金型での成形時に円滑に型抜きすることができる。さらに、位置決め部３８は、当接部４４と押圧部４８とが軸受部４０の裏表で重ならない位置に当接することで、当接部４４を左右方向の基準位置に固定した状態で、押圧部４８が軸受部４０をより確実に押圧する。その結果、位置決め部３８は、左右方向での位置決め精度が一層向上する。
【００５２】
押しボタン２５（２７）は、位置決め部３８及び回転支持部３９が操作面部３６の後縁部から後方に突出した構造となっている。このため、押しボタン２５（２７）は、位置決め部３８及び回転支持部３９と、軸受部４０，５２とで形成される回動軸が、操作面部３６の外側に配置されている。これにより押しボタン２５（２７）は、図８から明らかな通り、操作面部３６の上面の全面を押下操作することができ、高い操作性が得られる。つまり、仮に位置決め部３８及び回転支持部３９の回動軸が操作面部３６の直下にある場合には、操作面部３６は少なくとも回動軸の直上に位置した部分を押下操作することができないためである。但し、当該入力装置１０は、位置決め部３８等の回動軸を操作面部３６の直下に形成してもよい。この構成であっても、上記した位置決め部３８による位置決め効果は十分に得られるからである。
【００５３】
ところで、例えば図３に示す押しボタン２５において、位置決め部３８及び回転支持部３９を左右逆に配置してもよい。但し、この構成では、右側の位置決め部３８が左右方向の位置決めを担うため、操作面部３６の左側の側面３６ａは、操作面部３６の左右方向の幅寸法分の公差が積算された位置に配置される。その結果、操作面部３６の左側にあるフレーム２３の内壁面２３ｂに側面３６ａが干渉する懸念がある。この点、上記構成では、左右方向の位置決めを担う位置決め部３８が、フレーム２３の内壁面２３ｂと対向する側面３６ａ側に配置されている。このため、側面３６ａと内壁面２３ｂとの干渉を回避しつつ、その間の隙間を最小化して、外観品質を向上させることも可能となる。なお、右側の押しボタン２７は、右側の押しボタン２５と左右対称構造である。このため、この押しボタン２７では、フレーム２３の右側の内壁面２３ｃと対向する操作面部３６の側面３６ｂ側に位置決め部３８を配置している。
【００５４】
なお、本発明は、上記した開示内容に限定されるものではなく、本発明の主旨を逸脱しない範囲で自由に変更できることは勿論である。
【００５５】
上記では、操作面部３６の左右にそれぞれ位置決め部３８及び回転支持部３９を設けた構成を例示した。しかしながら、左右方向の位置決めに関与しない回転支持部３９は、省略してもよい。
【００５６】
上記では、軸受部４０，５２は、ベースプレート３０に直接形成されたものを例示した。しかしながら、ベースプレート３０の上面３０ａに樹脂製のプレート等を積層した構成としてもよい。この場合は、ベースプレート３０と樹脂製のプレートを含めた全体をベースプレートとして考え、ベースプレート３０又は樹脂製のプレートのいずれかに軸受部４０，５２を形成するとよい。
【００５７】
上記では、中央の押しボタン２６は、左右の押しボタン２５，２７と異なる構成であるとした。しかしながら、中央の押しボタン２６は、左右の押しボタン２５，２７と同一又は同様な形状や取付構造であってもよい。
【符号の説明】
【００５８】
１０  入力装置
１２  電子機器
１４  ディスプレイ筐体
１６  本体筐体
１８  キーボード装置
２３  フレーム
２３ａ  開口部
２５〜２７  押しボタン
３０  ベースプレート
３０ａ  上面
３０ｂ  下面
３６  操作面部
３８  位置決め部
３９  回転支持部
４０，５２  軸受部
４２  第１アーム
４４  当接部
４６  第２アーム
４８  押圧部
５０，５８  支持部
５４  アーム
５６，５７  支持壁部
６０  位置決め穴
６２  突出片
【図１】
2020202164.tif 000003
【図２】
2020202164.tif 000004
【図３】
2020202164.tif 000005
【図４】
2020202164.tif 000006
【図５】
2020202164.tif 000007
【図６】
2020202164.tif 000008
【図７】
2020202164.tif 000009
【図８】
2020202164.tif 000010